(57)【要約】【課題】ドラムを確実に安定姿勢で保持でき、着脱が簡単で衝撃等によって抜け落ちるこのないコンパクトを提案する。【解決手段】  化粧料を充填、保持するドラム（３）と、開閉自在な蓋体（２）を有しその内部に直接又は中枠を介して該ドラム（３）を着脱自在に収納する容器本体（１）からなるコンパクトにおいて、前記容器本体（１）又は中枠の何れか一方に弾性連結されドラムの側壁部に接触して該ドラムを挟圧支持する複数の弾性片（４）を設け、前記ドラム（３）のコーナー部（３ａ〜３ｄ）もしくは湾曲部に位置する弾性片（４ａ〜４ｄ）は、該コーナー部（３ａ〜３ｄ）もしくは湾曲部に沿うＲ形状を有しドラムの溝部又は突部（６）にアンダーカット嵌合する嵌合リブ又は嵌合溝部（５）を設ける。【選択図】図１
2005211385.tif 000002
【特許請求の範囲】
【請求項１】
化粧料を充填、保持するドラムと、開閉自在な蓋体を有しその内部に直接又は中枠を介して該ドラムを着脱自在に収納する容器本体からなるコンパクトであって、
前記容器本体又は中枠の何れか一方に連結されドラムの側壁部に接触して該ドラムを挟圧支持する複数の弾性片を設け、
前記ドラムのコーナー部もしくは湾曲部に位置する弾性片は、該コーナー部もしくは湾曲部に沿うＲ形状を有しドラムに設けられた溝部又は突部にアンダーカット嵌合する嵌合リブ又は嵌合溝部を有することを特徴とするコンパクト。
【請求項２】
嵌合リブ又は嵌合溝部を有する弾性片の少なくとも１つに、該弾性片を強制的に後退移動させてアンダーカット嵌合を解除する操作レバーを設けた請求項１記載のコンパクト。
【請求項３】
ドラムは、略角型の平面形状あるいは丸型の平面形状である、請求項１又は２に記載のコンパクト。
【発明の詳細な説明】
【技術分野】
【０００１】
本発明は、化粧料を収納するに使用されるコンパクトに関するものであり、化粧料が充填されたレフィル容器としてのドラムをコンパクトの本体部分に確実に保持するとともに、簡単な着脱を実現しようとするものである。
【背景技術】
【０００２】
コンパクトは一般にアイシャドーやアイライナー、ファンデーション等の化粧料をパフ等の塗布具とともに収納できる内部空間を有しており、とくに、化粧料については容器本体の継続的な使用を実現する観点から、それを使い切ったのちに新しい化粧料のみを入れ替えすることができるように該内部空間に適合する着脱式の化粧料充填ドラムが組み込まれている（例えば特許文献１参照）。
【特許文献１】実用新案登録第２５１７０７１号公報
【０００３】
通常、この種の化粧料充填ドラムは、コンパクト容器の本体部分に直接あるいは中枠に垂下又は上方へ向けて突設するように設けられた複数本の脚部でアンダーカット嵌合させて固定保持するのが普通であって、その取り替えを簡単に行うことができるようになっている。
【０００４】
ところで、一定のＲによって形成されたコーナー部を有する角型の平面形状を有するドラムや丸型の平面形状を有するドラムにおいて、該ドラムをコーナー部や湾曲面で支える構造のものでは、脚部についてもドラムのコーナー部あるいは湾曲面と同等のＲや湾曲が付与された断面形状を採用するのが普通であるところ、このような形状になる脚部はそれ自体が弾性変形しにくい（幅寸法が大きくなるほど変形しにくい）ことからドラムの着脱に大きな力が必要となる不具合があり、また、不用意な落下等によってコンパクトに衝撃力が加えられた場合にその衝撃が脚部を通して直接ドラムに伝達されるためドラムが内部空間から簡単に抜け落ちてしまうおそれがあった。
【発明の開示】
【発明が解決しようとする課題】
【０００５】
本発明の課題は、上述したような従来の問題を解消できる新規なコンパクトを提案するところにある。
【課題を解決するための手段】
【０００６】
本発明は、化粧料を充填、保持するドラムと、開閉自在な蓋体を有しその内部に直接又は中枠を介して該ドラムを着脱自在に収納する容器本体からなるコンパクトであって、
前記容器本体又は中枠の何れか一方に連結されドラムの側壁部に接触して該ドラムを挟圧支持する複数の弾性片を設け、
前記ドラムのコーナー部もしくは湾曲部に位置する弾性片は、該コーナー部もしくは湾曲部に沿うＲ形状を有しドラムに設けられた溝部又は突部にアンダーカット嵌合する嵌合リブ又は嵌合溝部を有することを特徴とするコンパクトである。
【０００７】
上記の構成になるコンパクトにおいて、嵌合リブ又は嵌合溝部を有する弾性片の少なくとも１つに、該弾性片を強制的に後退移動させてアンダーカット嵌合を解除する操作レバーを設けるのが好ましい。
【０００８】
また、上記ドラムは、略角型の平面形状あるいは丸型の平面形状を有するものを用いることができる。
【発明の効果】
【０００９】
両端を支持した弾性片はベンディングし易いのでその長さを延長してドラムの安定的な保持姿勢を確保するようにしても小さな力でもってドラムを着脱することができ、しかもドラムを支えた状態での弾性片のベンディングにより衝撃力を効果的に吸収することが可能となりドラムが簡単に抜け落ちることはない。
【発明を実施するための最良の形態】
【００１０】
以下、図面を用いて本発明をより具体的に説明する。
図１（ａ）〜（ｃ）、図２（ａ）（ｂ）及び図３は本発明にしたがうコンパクトの実施の形態を示したものであり、図１（ａ）は蓋体を取り除いた状態で示した平面図、図１（ｂ）は蓋体を取り付けた状態の正面を断面で示した図であり、図１（ｃ）は蓋体を取り付けた状態の側面の断面を示した図、図２（ａ）（ｂ）は図１（ａ）の要部拡大図（平面）とその断面図であり、図３は図１（ｂ）の要部断面図である。
【００１１】
図１〜３における番号１は容器本体、２は容器本体１に枢支ピンを介して開閉自在に支持される蓋体、３は化粧料を充填、保持する略角型の平面形状を有する例で示したドラムである。
【００１２】
また、４は容器本体１の中枠に両端支持にて一体連結されドラム３の側壁部に接触する弾性片であり、この弾性片４のうちドラム３のコーナー部（丸型の場合には湾曲部）３ａ〜３ｄに位置する弾性片（４ａ〜４ｄ）は、図４に示すようにコーナー部３ａ〜３ｄに沿うＲ形状を有しドラム３の溝部５（図２（ｂ）参照）にアンダーカット嵌合する嵌合リブ６が設けられており、対向する弾性片同士でドラム３を挟圧支持できるようになっている一方、ドラム３の直線壁部に位置する弾性片（４ｅ〜４ｈ）については図５に外観斜視図を示すように、該壁部に密着するフラット面を有していて、ドラム３をその前後、左右から相互に挟み込んで挟圧支持できるようになっている。また、７はドラム３の下面と容器本体１の上面間に配置されたパッキンであり、このパッキン7はドラム３に加わる衝撃を吸収する機能を有する。なお、弾性片(４ａ〜４ｄ)とドラム３のコーナー部３ａ〜３ｄとの関係は、図２（ｂ）に示すように嵌合リブ６のみの接触にてドラム３を保持することができるが、嵌合リブ６及び弾性片（４ａ〜４ｄ）内壁面とでドラム３を押圧保持するようにしてもよい。
【００１３】
上記弾性片４ａ〜４ｄの少なくとも１つには、図６に示すように該弾性片４と一体成形することができる操作レバー８を設けることが可能で、容器本体１の底部に設けられた開口を通して図２（ｂ）に示す矢印にしたがい弾性片４を後退移動させることでアンダーカット嵌合の解除が可能になる（一カ所でアンダーカット嵌合を解除すればドラム３は容易に抜き取ることができる）。
【００１４】
図７は従来型のコンパクトに設けられた脚部の外観斜視図であり、とくに脚部がドラムのコーナー部や湾曲部に沿わせた断面形状になっている場合には、その剛性が高くなるため固定端を支点とする変形が困難で、これはドラムの支持強度を高めるべく脚部の幅寸法ｗを大きくした場合にとくに顕著となってドラムの着脱に支障をきたすだけでなくコンパクトに衝撃が加えられた場合にその際の衝撃力が脚部を通して直接的に伝達されることが懸念され該脚部から簡単に脱落してしまう不利がある。
【００１５】
本発明にしたがうコンパクトは、弾性片（４ａ〜４ｄ）の両端が支持されているもののその連結部位（弾性連結された部位）を基点にしてベンディングすることができるので、ドラム３を確実かつ安定的に支持すべく弾性片の長さＬ（図４参照）を長くしてもアンダーカット嵌合の際の嵌合強度に変化はなく、ドラムの着脱が簡単に行える。また、コーナー部３ａ〜３ｄに位置する弾性片（４ａ〜４ｄ）は、コーナー部３ａ〜３ｄに沿うＲ形状を有しているので、嵌合リブ６の長さを長くしても弾性変形を許容する空隙を確保することが可能になる。
【００１６】
また、アンダーカット嵌合させた状態で衝撃が加えられたときには弾性片４のベンディングにより衝撃力が効果的に吸収される。
【００１７】
本発明の実施の形態では、弾性片（４ａ〜４ｄ）に嵌合リブ８を設けてアンダーカット嵌合させる例について示したが、ドラム３のコーナー部３ａ〜３ｄにリブ状の突部が設けられている場合には弾性片（４ａ〜４ｄ）にこの突部に適合する嵌合溝部を設け、この嵌合溝部をリブ状の突部にアンダーカット嵌合させることでドラム３を支える。
【００１８】
また、上掲の実施の形態では、弾性片（４ａ〜４ｄ）を中枠に設けた場合について示したが、容器本体１が中枠を有しないタイプのものでは容器本体１に直接設けるようにしてもよい。
【産業上の利用可能性】
【００１９】
ドラムを安定した姿勢で保持でき、衝撃によって簡単に抜け落ちることのないコンパクトを提供できる。
【図面の簡単な説明】
【００２０】
【図１】本発明の実施の形態を示したコンパクトの構成図であり、（ａ）は平面図、（ｂ）は正面の断面図、（ｃ）は側面の断面図である。
【図２】（ａ）（ｂ）は図１（ａ）の要部拡大図とその断面図である。
【図３】図１（ｂ）の要部断面図である。
【図４】弾性片の外観斜視図である。
【図５】弾性片の外観斜視図である。
【図６】本発明にしたがうコンパクトの弾性片の外観斜視図である。
【図７】従来型コンパクトに設けられた脚部の外観斜視図である。
【符号の説明】
【００２１】
１  容器本体
２  蓋体
３  ドラム
３ａ〜３ｄ  コーナー部
４  弾性片
５  溝部
６  嵌合リブ
７  パッキン
８  操作レバー
【図１】
2005211385.tif 000003
【図２】
2005211385.tif 000004
【図３】
2005211385.tif 000005
【図４】
2005211385.tif 000006
【図５】
2005211385.tif 000007
【図６】
2005211385.tif 000008
【図７】
2005211385.tif 000009